(57)【要約】【課題】  利用性が高く娯楽性に富んだレシピ情報配信システムを包含する通信音楽再生システムを提供する。【解決手段】  サーバ１４は、多数の料理のレシピ情報を記憶するレシピデータベース９０を備えたものであり、通信カラオケ装置１２は、通信回線１６を介してレシピデータベース９０から所定の料理のレシピ情報を取得する取得手段９４と、その取得手段９４により取得されたレシピ情報に基づいて料理のレシピを出力させるレシピ出力手段９６と、取得されたレシピ情報に定められた待ち時間に応じて所定の演奏曲を出力させる演奏曲出力手段９８とを、有することから、所望のレシピを参照して料理を行うことができるのみならず、その料理における煮込みやオーブンがけ等の待ち時間においてその時間に応じた演奏曲を出力させることができ、待ち時間を楽しく過ごせると共にその超過を好適に防止できる。【選択図】  図４
2007079266.tif 000002
【特許請求の範囲】
【請求項１】
所定の通信回線に接続されると共に多数の演奏曲のうちから選択される所定の演奏曲を出力させる通信音楽再生装置と、前記通信回線を介して該通信音楽再生装置との間で情報の通信を行い得るサーバとを、備えた通信音楽再生システムであって、
前記サーバは、多数の料理のレシピ情報を記憶するレシピデータベースを備えたものであり、
前記通信音楽再生装置は、
前記通信回線を介して前記レシピデータベースから所定の料理のレシピ情報を取得する取得手段と、
該取得手段により取得されたレシピ情報に基づいて前記料理のレシピを出力させるレシピ出力手段と、
前記取得手段により取得されたレシピ情報に定められた待ち時間に応じて所定の演奏曲を出力させる演奏曲出力手段と
を、有することを特徴とするものである通信音楽再生システム。
【請求項２】
前記サーバは、
前記演奏曲を出力させるための多数の音曲情報を記憶する音曲データベースを備えたものであり、
前記取得手段は、前記通信回線を介して所定の料理のレシピ情報を前記レシピデータベースから取得すると共に、該レシピ情報に定められた待ち時間に応じた演奏曲の音曲情報を前記音曲データベースから取得するものである請求項１の通信音楽再生システム。
【請求項３】
前記音曲データベースに記憶された音曲情報は、それぞれ少なくとも１つのジャンルと関連付けられたものであり、
前記取得手段は、前記通信回線を介して共に取得されるレシピ情報に定められた待ち時間に応じた演奏曲の音曲情報を、指定されるジャンルに基づいて前記音曲データベースから取得するものである請求項２の通信音楽再生システム。
【請求項４】
前記音曲データベースに記憶された音曲情報は、それぞれ少なくとも１つのアーティスト名と関連付けられたものであり、
前記取得手段は、前記通信回線を介して共に取得されるレシピ情報に定められた待ち時間に応じた演奏曲の音曲情報を、指定されるアーティスト名に基づいて前記音曲データベースから取得するものである請求項２の通信音楽再生システム。
【請求項５】
前記取得手段は、前記通信回線を介して共に取得されるレシピ情報に定められた待ち時間に応じた演奏曲の音曲情報を、前記通信音楽再生装置により過去に選曲された演奏曲の選曲履歴に基づいて前記音曲データベースから取得するものである請求項２から４の何れかの通信音楽再生システム。
【請求項６】
前記通信音楽再生装置は、所定の出力装置に接続されて用いられ、該出力装置を介して前記料理のレシピの出力及び演奏曲の出力を行うものである請求項１から５の何れかの通信音楽再生システム。
【発明の詳細な説明】
【技術分野】
【０００１】
本発明は、所定の通信回線に接続されると共に多数の演奏曲のうちから選択される所定の演奏曲を出力させる通信音楽再生装置と、前記通信回線を介してその通信音楽再生装置との間で情報の通信を行い得るサーバとを、備えた通信音楽再生システムを用いて料理のレシピ情報の配信制御を行う新たな技術に関する。
【背景技術】
【０００２】
多数の演奏曲のうちから選択される所定の演奏曲を出力させる音楽再生装置が知られている。例えば、カラオケボックス等で使用されるカラオケ装置がそれである。斯かるカラオケ装置によれば、予め記憶装置に記憶された多数のカラオケ演奏曲から選択された所定のカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
斯かるカラオケ装置の一例として、所定のサーバから通信回線を介して前記演奏曲に関する情報を取得できる通信カラオケ装置が知られている。この通信カラオケ装置は、公衆電話回線等の通信回線を介して所定のカラオケサービス提供会社のサーバ（センタ装置）と接続されることで、そのサーバとの間で相互に情報の遣り取りが可能とされており、新曲のカラオケ情報等が前記複数のカラオケ装置により適宜ダウンロードされることで、それらカラオケ装置を用いて新曲の演奏等の最新サービスが常に享受できる。また、近年の情報通信技術の進歩を背景として、所定の通信回線を介しての情報取得を制御の主軸とした新しい通信カラオケ装置が提案されている。例えば、ＣＲＴ（Cathode-Ray Tube）等の外部機器に接続され、その外部機器を出力装置として上記サーバからダウンロードされる情報に基づく演奏曲を出力させると共に、その演奏曲の歌詞文字映像を表示させる通信カラオケ装置がそれである。斯かる態様の通信カラオケシステム（通信音楽再生システム）は、出力装置として家庭用テレビジョン等を用いることで、可及的に簡単な構成の安価な通信カラオケ装置（通信音楽再生装置）にて一般家庭等におけるカラオケ演奏を実現することができる。
【０００４】
ところで、上述したように近年の情報通信技術の進歩は目覚ましく、公衆電話回線等の通信回線を介してデジタルコンテンツ（Digital Contents）の配信を行う配信技術が様々な分野で実用されている。斯かる配信技術の一例として、上記通信回線を介して料理のレシピ情報を配信する配信システムが提案されている。例えば、特許文献１に記載されたレシピ検索システムがそれである。この技術によれば、多数のレシピ情報を配信するためのセンタ装置と、そのセンタ装置からレシピ情報の配信を受けるサーバと、インターネット等を介してそのサーバからレシピ情報をダウンロードし得る端末装置とを備えていることで、それら端末装置によりキーワードに基づいて所望のレシピの閲覧が実現できるとされている。
【０００５】
【特許文献１】特開２００３−２７１７１２号公報
【０００６】
しかし、前記従来の技術は、単に所望されるレシピ情報をサーバからダウンロードできるようにした技術であり、換言すれば書籍としてのレシピをデータベース化したものに過ぎないため利用性に乏しく、更にはコンテンツビジネスにおいて重視される傾向にある娯楽性は皆無であった。本発明者は、斯かる従来のレシピ情報配信技術の欠点を踏まえ、鋭意考案を継続した一結果として、前述した通信音楽再生システムを応用した利用性が高く娯楽性に富んだレシピ情報配信システムを発案するに至った。
【発明の開示】
【発明が解決しようとする課題】
【０００７】
本発明は、以上の事情を背景として為されたものであり、その目的とするところは、利用性が高く娯楽性に富んだレシピ情報配信システムを包含する通信音楽再生システムを提供することにある。
【課題を解決するための手段】
【０００８】
斯かる目的を達成するために、本発明の要旨とするところは、所定の通信回線に接続されると共に多数の演奏曲のうちから選択される所定の演奏曲を出力させる通信音楽再生装置と、前記通信回線を介してその通信音楽再生装置との間で情報の通信を行い得るサーバとを、備えた通信音楽再生システムであって、前記サーバは、多数の料理のレシピ情報を記憶するレシピデータベースを備えたものであり、前記通信音楽再生装置は、前記通信回線を介して前記サーバから所定の料理のレシピ情報を取得する取得手段と、その取得手段により取得されたレシピ情報に基づいて前記料理のレシピを出力させるレシピ出力手段と、前記取得手段により取得されたレシピ情報に定められた待ち時間に応じて所定の演奏曲を出力させる演奏曲出力手段とを、有することを特徴とするものである。
【発明の効果】
【０００９】
このようにすれば、前記サーバは、多数の料理のレシピ情報を記憶するレシピデータベースを備えたものであり、前記通信音楽再生装置は、前記通信回線を介して前記レシピデータベースから所定の料理のレシピ情報を取得する取得手段と、その取得手段により取得されたレシピ情報に基づいて前記料理のレシピを出力させるレシピ出力手段と、前記取得手段により取得されたレシピ情報に定められた待ち時間に応じて所定の演奏曲を出力させる演奏曲出力手段とを、有することから、前記サーバから取得される所望のレシピを参照して料理を行うことができるのみならず、その料理における煮込みやオーブンがけ等の待ち時間においてその時間に応じた演奏曲を出力させることができ、待ち時間を楽しく過ごせると共にその超過を好適に防止できる。すなわち、利用性が高く娯楽性に富んだレシピ情報配信システムを包含する通信音楽再生システムを提供することができる。
【００１０】
ここで、好適には、前記サーバは、前記演奏曲を出力させるための多数の音曲情報を記憶する音曲データベースを備えたものであり、前記取得手段は、前記通信回線を介して所定の料理のレシピ情報を前記レシピデータベースから取得すると共に、そのレシピ情報に定められた待ち時間に応じた演奏曲の音曲情報を前記音曲データベースから取得するものである。このようにすれば、実用的な通信音楽再生システムを利用して、利用性が高く娯楽性に富んだレシピ情報配信システムを実現することができるという利点がある。
【００１１】
また、好適には、前記音曲データベースに記憶された音曲情報は、それぞれ少なくとも１つのジャンルと関連付けられたものであり、前記取得手段は、前記通信回線を介して共に取得されるレシピ情報に定められた待ち時間に応じた演奏曲の音曲情報を、指定されるジャンルに基づいて前記音曲データベースから取得するものである。このようにすれば、前記料理の待ち時間において利用者の嗜好を反映する演奏曲を出力させることができ、その待ち時間を更に楽しく過ごせるという利点がある。
【００１２】
また、好適には、前記音曲データベースに記憶された音曲情報は、それぞれ少なくとも１つのアーティスト名と関連付けられたものであり、前記取得手段は、前記通信回線を介して共に取得されるレシピ情報に定められた待ち時間に応じた演奏曲の音曲情報を、指定されるアーティスト名に基づいて前記音曲データベースから取得するものである。このようにすれば、前記料理の待ち時間において利用者の嗜好を反映する演奏曲を出力させることができ、その待ち時間を更に楽しく過ごせるという利点がある。
【００１３】
また、好適には、前記取得手段は、前記通信回線を介して共に取得されるレシピ情報に定められた待ち時間に応じた演奏曲の音曲情報を、前記通信音楽再生装置により過去に選曲された演奏曲の選曲履歴に基づいて前記音曲データベースから取得するものである。このようにすれば、前記料理の待ち時間において利用者の嗜好を反映する演奏曲を出力させることができ、その待ち時間を更に楽しく過ごせるという利点がある。
【００１４】
また、好適には、前記通信音楽再生装置は、所定の出力装置に接続されて用いられ、その出力装置を介して前記料理のレシピの出力及び演奏曲の出力を行うものである。このようにすれば、簡単且つ実用的な通信音楽再生装置を用いて、利用性が高く娯楽性に富んだレシピ情報配信システムを実現することができるという利点がある。
【００１５】
以下、本発明の好適な実施例を図面に基づいて詳細に説明する。
【実施例】
【００１６】
図１は、本発明の通信音楽再生システムの一実施例である通信カラオケシステム１０を説明する図である。この図１に示すように、本実施例の通信カラオケシステム１０は、通信音楽再生装置である通信カラオケ装置１２と、例えばカラオケサービス提供会社が管理する情報処理装置であるサーバ１４とが、通信回線１６に接続されて構成されている。この通信回線１６は、例えば公衆電話回線を用いた非対称デジタル通信回線等によるブロードバンドネットワークであり、斯かる通信回線１６を介して上記通信カラオケ装置１２及びサーバ１４相互間で電子的な情報の送受信が可能とされている。
【００１７】
上記通信カラオケ装置１２は、例えばＣＲＴ（Cathode-Ray Tube）やＰＤＰ（Plasma Display Panel）等の映像表示機能及び音声出力機能を有する出力装置１８に有線又は無線により接続され、その出力装置１８を音声出力装置としてＣＤ（Compact Disc）２０等の記憶媒体に収録された複数の演奏曲を個々に出力させると共に、上記出力装置１８を映像出力装置としてその演奏曲に対応する歌詞文字映像を表示させることで、上記ＣＤ２０等に記憶された演奏曲のカラオケ演奏を可能とするものである。また、上記通信回線１６を介して上記サーバ１４からデジタルコンテンツとして所定の演奏曲の音曲情報を取得し、その音曲情報に基づいて演奏曲の出力及び歌詞文字映像の表示を行う。なお、本実施例では、演奏出力及び映像表示何れをも上記出力装置１８を介して行う態様について説明するが、映像表示のみ上記出力装置１８を介して行い、演奏出力に関しては上記通信カラオケ装置１２の処理により行う態様も考えられる。斯かる態様では、音声出力装置であるスピーカ等が以下に詳述する構成に加えて上記通信カラオケ装置１２に設けられる。
【００１８】
図２は、前記通信カラオケ装置１２の構成を説明する図である。この図２に示すように、前記通信カラオケ装置１２は、中央演算処理装置であるＣＰＵ２６と、読み出し専用メモリであるＲＯＭ２８と、随時書き込み読み出しメモリであるＲＡＭ３０と、操作パネル３２と、リモコン受信部３４と、上記ＣＤ２０を収容するためのＣＤスロット３６と、ＣＤ駆動部３８と、ＣＤ読取部４０と、ＣＤ再生部４２と、ボーカルキャンセラ５０と、モデム５２と、ＭＩＤＩ音源５４と、演奏調整部５６と、音声入力装置であるマイクロフォン５８と、Ａ／Ｄコンバータ６０と、アンプミキサ６２と、ビデオボード６４と、上記出力装置１８に接続するためのインターフェイス６６とを、備えて構成されている。
【００１９】
上記ＣＰＵ２６は、上記ＲＡＭ３０の一時記憶機能を利用しつつ上記ＲＯＭ２８に予め記憶された所定のプログラムに基づいて電子情報を処理・制御する所謂コンピュータであり、上記ＣＤスロット３６に収容されたＣＤ２０の再生を行ったり、上記ＭＩＤＩ音源５４によりＭＩＤＩデータに基づく演奏曲の出力（再生）を行ったり、斯かる演奏曲の再生に同期してその演奏曲の歌詞情報に基づく歌詞文字映像（歌詞テロップ）を生成したり、それら演奏及び映像を前記出力装置１８を介して出力させたり、前記通信回線１６を介した前記サーバ１４等との間の情報通信制御等の基本的な制御に加え、後述するレシピ表示／カラオケ制御を実行する。
【００２０】
前記操作パネル３２は、前記ＣＤ再生部４２やＭＩＤＩ音源５４等により再生される演奏曲の音程を調整したり、演奏と歌との音量バランスを調整したり、その他、エコー、音量、トーン等の各種演奏調整を行ったり、演奏が所望される演奏曲の選曲番号を入力する等、前記通信カラオケ装置１２によるカラオケ演奏に関する様々な操作を行うための操作ボタン（スイッチ）或いはつまみを備えた入力装置である。また、前記通信カラオケ装置１２には、前記操作パネル３２の一部機能を遠隔で実行するための入力装置として機能するリモコン装置６８が備えられており、前記リモコン受信部３４は、そのリモコン装置６８から送信されるリモコン信号を受信して前記ＣＰＵ２６へ供給する。
【００２１】
前記ＣＤ駆動部３８は、前記ＣＤスロット３６に収容されたＣＤ２０をその軸心まわりに回転させるためにスピンドル（駆動軸）を回転させるスピンドルモータを主体とするものであり、前記ＣＰＵ２６からの指令に従い所定の回転速度で前記ＣＤ２０を回転させる。また、前記ＣＤ読取部４０は、前記ＣＤ２０へレーザー光を照射すると共に反射光を受光してそのＣＤ２０の記憶内容を読み取る光学ヘッド（pick up head）と、その光学ヘッドを前記ＣＤ２０の径方向に往復駆動するスライダモータとを、備えており、記憶媒体であるＣＤ２０に記憶された情報を読み取る読取手段（読取装置）として機能する。前記ＣＤ再生部４２は、前記ＣＤ読取部４０により読み取られた演奏データに基づいて音楽を演奏（再生）する演奏手段であり、前記ＣＤ２０に収録された曲の演奏では、前記ＣＤスロット３６に収容されたＣＤ２０が前記ＣＤ駆動部３８により回転させられ、そのＣＤ２０の記憶内容である演奏データが前記ＣＤ読取部４０により読み取られて、その演奏データに基づく演奏が前記ＣＤ再生部４２により再生される。
【００２２】
前記ボーカルキャンセラ５０は、前記ＣＤ再生部４２により再生された演奏に含まれるボーカルパートを除去（キャンセル）する。具体的には、入力される音楽データの周波数帯域中央における所定の周波数帯域を除去して出力する。斯かる処理により、前記ＣＤ再生部４２により再生された演奏からオリジナルアーティストの歌唱が除かれ、楽器等の演奏音のみから成る演奏が前記ボーカルキャンセラ５０から出力される。
【００２３】
前記モデム５２は、前記通信カラオケ装置１２を前記通信回線１６に接続するための装置であり、前記ＣＰＵ２６から出力されるディジタル信号をアナログ信号に変換して前記通信回線１６に送り出すと共に、その通信回線１６を介して伝送されるアナログ信号をディジタル信号に変換して前記ＣＰＵ２６に供給する処理を行う。後述するレシピ情報やカラオケ情報の取得（ダウンロード）は、このモデム５２を介して行われる。また、前記操作操作パネル３２やリモコン装置６８等を介して所定の選曲番号が入力された場合、前記モデム５２を介して前記サーバ１４からその選曲番号に対応する演奏曲の音曲情報であるＭＩＤＩ（Musical Instrument Digital Interface）データ及び歌詞情報がダウンロードされる。前記ＭＩＤＩ音源５４は、そのようにして取得されたＭＩＤＩデータに基づいて音楽を演奏（再生）する演奏手段である。また、このようにして前記サーバ１４から音曲情報が取得された場合、その選曲履歴が前記ＲＡＭ３０に設けられた選曲履歴データベース９２（図４を参照）に記憶されるようになっている。
【００２４】
前記演奏調整部５６は、前記ボーカルキャンセラ５０又はＭＩＤＩ音源５４から出力される演奏に関して種々の調整を行う。具体的には、前記操作パネル３２やリモコン装置６８等を介しての操作に応じて演奏曲の音程、音量、演奏速度、エコー、トーン等の各種調整を行う。また、前記アンプミキサ６２は、この演奏調整部５６により調整された演奏（音楽データ）と、前記Ａ／Ｄコンバータ６０を介して前記マイクロフォン５８から入力された音声情報とを合成（ミキシング）する音声合成装置であり、前記通信カラオケ装置１２によるカラオケ演奏において前記マイクロフォン５８により入力された利用者の歌唱（歌声）は、このアンプミキサ６２により前記演奏と合成され、前記インターフェイス４４を介して前記出力装置１８へ送られ、その出力装置１８におけるスピーカ等から出力される。なお、前記マイクロフォン５８は、好適には、前記通信カラオケ装置１２に着脱可能に備えられたものであり、或いは赤外線等により無線接続されるものであってもよい。
【００２５】
前記ビデオボード６４は、前記ＣＰＵ２６からの指令に応じて映像表示（描画）に関する処理を行う。具体的には、前記インターフェイス６６を介して前記出力装置１８の画面に所定の映像を表示させる。例えば、前記ＣＰＵ２６により生成された歌詞文字映像を表示させると共に、その歌詞文字映像を経時的に色替えしていく等の歌詞文字映像表示処理や、その歌詞文字映像の背面側レイヤに所定の背景映像を表示させる等の背景映像表示処理等、前記通信カラオケ装置１２によるカラオケ演奏に際しての種々の映像表示を制御する。また、後述するレシピ情報に基づくレシピの表示もこのビデオボード６４を介して行われる。
【００２６】
図３は、前記サーバ１４の構成を説明する図である。この図３に示すように、前記サーバ１４は、中央演算処理装置であるＣＰＵ７０によりＲＡＭ７４の一時記憶機能を利用しつつＲＯＭ７２に予め記憶されたプログラムに従って信号処理を行う所謂ノイマン式コンピュータであり、ＣＲＴ等の映像表示装置７６と、その映像表示装置７８による映像の表示を制御するためのＣＲＴコントローラ７８と、キーボード等の入力装置８０と、その入力装置８０による入力を処理するためのインターフェイス８２と、上記ＣＰＵ７０等を前記通信回線１６に接続するためのモデム８４と、記憶装置であるハードディスク８６とを、備えて構成されている。
【００２７】
上記ハードディスク８６には、多数のカラオケ情報を記憶するカラオケデータベース８８と、多数の料理のレシピ情報を記憶するレシピデータベース９０とが設けられている。上記カラオケデータベース８８に記憶されるカラオケ情報は、ヘッダ情報、演奏情報、及び歌詞情報等を含むものであり、インデックスとしてそれぞれ固有の選曲番号を有している。このカラオケ情報に含まれる演奏情報は、好適には、前記ＭＩＤＩ音源５４により再生が可能なＭＩＤＩデータであり、すなわち上記カラオケデータベース８８に記憶されるカラオケ情報は、前記通信カラオケ装置１２により演奏曲を出力させるための音曲情報に対応し、上記カラオケデータベース８８は、それら多数の音曲情報を記憶する音曲データベースに対応する。また、好適には、上記カラオケ情報は、「邦楽ポップス」、「邦楽ロック」、「演歌」、「洋楽」、「アニメソング」等のジャンルに分類され、それぞれ少なくとも１つのジャンルと関連付けられたものであり、上記ヘッダ情報にはその関連付けられたジャンルを示すジャンル情報の他、各カラオケ演奏曲毎の曲名、オリジナルアーティストのアーティスト名（歌手名）、及び演奏時間（演奏開始から演奏終了までの時間）を示す演奏時間情報等が記録されている。また、上記レシピデータベース９０に記憶されるレシピ情報は、前記通信カラオケ装置１２により所定の料理のレシピすなわち材料や調理法を示す映像及び／又は音声を出力させるための情報であり、それぞれ固有の識別番号を有している。このレシピ情報は、最も簡単には、対象となる料理の材料や調理法を示すテキスト情報を含むＨＴＭＬ（Hypertext Markup Language）データ等でよいが、その材料や調理法のテキストを読み上げる音声情報を含むものや、料理のステップ毎に画像を表示させるもの等、態様に応じて種々の形式が考えられる。
【００２８】
図４は、前記通信カラオケ装置１２のＣＰＵ２６に備えられた制御機能の要部を説明する機能ブロック線図である。この図４に示す取得手段９４は、前記通信回線１６を介して前記サーバ１４のレシピデータベース９０から所定の料理のレシピ情報を取得する。前記操作パネル３２やリモコン装置６８等により本実施例のレシピ表示／カラオケ制御を開始するための操作が行われた場合、前記ビデオボード６４等を介して前記出力装置１８に図５に示すような料理選択画面（スタート画面）が表示される。この画面乃至それに続く料理選択画面の表示に従って前記操作パネル３２やリモコン装置６８等により入力操作が行われることで所定の料理が選択されると、上記取得手段９４により前記モデム５２等を介して前記サーバ１４のレシピデータベース９０からその選択された料理に対応するレシピ情報が取得（ダウンロード）され、前記ＲＡＭ３０等に記憶される。
【００２９】
図４に示すレシピ出力手段９６は、上記取得手段９４により取得されたレシピ情報に基づいて前記料理のレシピを出力させる。例えば、前記ビデオボード６４等を介して前記出力装置１８に図６に示すようなレシピ画面を順次表示させる。この図６に示すレシピ画面は、料理「鴨南蛮」を作るためのレシピにおける第３ステップ「３．南蛮酢を作る」に係る情報を表示する画面であり、前記操作パネル３２やリモコン装置６８等により次のステップへの移行操作が行われると、第４ステップである「４．野菜を揚げる」に係る情報を表示する画面が新たに表示される。上記レシピ出力手段９６は、そのようにして前記出力装置１８に料理の各ステップを示す画面を表示させていくことで、所定の料理の一連のレシピを出力させる。なお、本実施例では、前記料理のレシピとして所定の映像を出力させる態様について説明するが、その映像と共に材料や調理法のテキストを読み上げる音声情報を出力させるものであってもよく、更には斯かる音声情報のみを出力させるものであってもよい。
【００３０】
図７は、上述した図６の画面の続きである料理「鴨南蛮」を作るためのレシピにおける第５ステップ「５．鴨肉を揚げる」に係る情報を表示する画面である。一般に料理のレシピには、材料を揚げる時間、茹でる時間、炒める時間等、目安となる好適な待ち時間が定められていることが多く、本実施例で例示している料理「鴨南蛮」のレシピにおいてもこの第５ステップにおいて鴨肉を揚げる時間の目安が「４分」と定められている。前記取得手段９４は、好適には、前記通信回線１６を介して所定の料理のレシピ情報を前記サーバ１４のレシピデータベース９０から取得すると共に、そのレシピ情報に定められた待ち時間に応じた演奏曲のカラオケ情報を前記サーバ１４のカラオケデータベース９０から取得する。すなわち、対象となるレシピ情報に定められた待ち時間と同程度（例えば±５秒程度）の演奏時間を有するカラオケ情報を検索してダウンロードする。例えば、演奏時間が適合する複数のカラオケ情報の中から無作為に１つのカラオケ情報が抽出されて取得される。また、前記ＣＤスロット３６に収納されているＣＤ２０に記憶された演奏曲の中にたまたま演奏時間が適合する演奏曲がある場合には、その演奏曲を後述する演奏曲出力手段９８による出力対象としてもよい。
【００３１】
図４に示す演奏曲出力手段９８は、前記取得手段９４により取得されたレシピ情報に定められた待ち時間に応じて、同様に取得手段９４により取得されたカラオケ情報に基づく演奏を行う。例えば、前記ＭＩＤＩ音源５４等を介してそのカラオケ情報のＭＩＤＩデータに基づく演奏曲を出力させると共に、前記ビデオボード６４等を介して前記出力装置１８に図８に示すような歌詞文字映像を含むカラオケ演奏画面を表示させる。また、好適には、待ち時間の残り時間を示す文字映像（テロップ）を図８に示すように歌詞文字映像と共に表示させる。この演奏曲出力手段９８により出力される演奏曲は、いわば料理におけるキッチンタイマとして利用されるものであり、例えば、利用者が図７に示すレシピ画面の表示に従って料理を行う場合、前記操作パネル３２やリモコン装置６８等により所定の演奏開始操作が行われることでカラオケ演奏が開始され、利用者はそのカラオケ演奏を楽しみながらレシピに定められた料理（図７では鴨肉を揚げる）を行う。上述したように、前記取得手段９４により取得されるカラオケ情報は、レシピ情報に定められた待ち時間に対応して同程度の演奏時間を有するものであるため、利用者はそのカラオケ情報に基づく演奏が終了すると同時に待ち時間を終え、次のステップに進めばいいのである。なお、本実施例においては、待ち時間に相当する箇所が１箇所のみのレシピ情報について説明するが、待ち時間に相当する箇所を複数箇所有するレシピ情報も当然考えられ、斯かるレシピ情報については各待ち時間に相当する箇所それぞれについてそれら待ち時間と同程度の演奏時間を有するカラオケ情報が取得されて割り当てられる。なお、材料を炒める時間等、待ち時間の種類によっては利用者が料理をしながら前記出力装置１８の画面を見られない態様も考えられるため、上記演奏曲出力手段９８による演奏曲の出力に際して必ずしも歌詞文字映像を含む図８に示すような画面は表示させなくともよい。また、材料を茹でる時間等、利用者が料理をしながら前記出力装置１８の画面を見られる場合には歌詞文字映像を表示させ、材料を炒める時間等、利用者が料理をしながら前記出力装置１８の画面を見られない場合には歌詞文字映像を非表示とする等、態様に応じて歌詞文字映像の表示／非表示を切り換えてもよい。
【００３２】
ここで、前記取得手段９４は、好適には、前記通信回線１６を介して共に取得されるレシピ情報に定められた待ち時間に応じた演奏曲のカラオケ情報を、前記操作パネル３２やリモコン装置６８等の入力操作により指定されるジャンルやアーティスト名に基づいて前記カラオケデータベース８８から取得するものである。すなわち、前記カラオケデータベース８８に記憶された多数のカラオケ情報のうち、前記操作パネル３２やリモコン装置６８等の入力操作により指定されるジャンルやアーティスト名と関連付けられたカラオケ情報であって、且つ演奏時間が適合する複数のカラオケ情報の中から無作為に１つのカラオケ情報が抽出されてダウンロードされる。また、好適には、前記通信回線１６を介して共に取得されるレシピ情報に定められた待ち時間に応じた演奏曲の音曲情報を、前記ＲＡＭ３０の選曲履歴データベース９２に記憶された選曲履歴に基づいて前記カラオケデータベース８８から取得する。すなわち、前記カラオケデータベース８８に記憶された多数のカラオケ情報のうち、前記ＲＡＭ３０の選曲履歴データベース９２に記憶された選曲履歴に含まれるカラオケ情報乃至その選曲履歴に応じた（例えば選曲履歴に含まれるカラオケ情報と関連付けられたジャンルのうち最多のジャンルと関連付けられた）カラオケ情報であって、且つ演奏時間が適合する複数のカラオケ情報の中から無作為に１つのカラオケ情報が抽出されて取得される。更には、前記ＲＡＭ３０の選曲履歴データベース９２に記憶された選曲履歴に含まれるカラオケ情報乃至その選曲履歴に応じたカラオケ情報であって、且つ前記操作パネル３２やリモコン装置６８等の入力操作により指定されるジャンルやアーティスト名と関連付けられたカラオケ情報を取得するものであってもよい。また、前記通信回線１６を介して共に取得されるレシピ情報に定められた待ち時間に応じた演奏曲のカラオケ情報を複数候補として挙げ、それらのうち何れかのカラオケ情報を利用者に選択させるようにしてもよい。また、図７に示すように、前記取得手段９４は、好適には、前記操作パネル３２やリモコン装置６８等による操作に応じて、前記通信回線１６を介して共に取得されるレシピ情報に定められた待ち時間に応じた他のカラオケ情報（当初ダウンロードされたものとは別のカラオケ情報）を再取得する。
【００３３】
図９は、前記通信カラオケ装置１２のＣＰＵ２６によるレシピ表示／カラオケ制御を説明するフローチャートであり、所定の周期で繰り返し実行されるものである。
【００３４】
先ず、ステップ（以下、ステップを省略する）Ｓ１において、前記出力装置１８における図５に示すような画面の表示に従って、前記操作パネル３２やリモコン装置６８等により所定の料理が選択されたか否かが判断される。このＳ１の判断が否定されるうちは、判断が繰り返されることにより待機させられるが、Ｓ１の判断が肯定される場合には、Ｓ２において、前記操作パネル３２やリモコン装置６８等により所定のジャンル又はアーティスト名が選択されたか否かが判断される。このＳ２の判断が否定されるうちは、判断が繰り返されることにより待機させられるが、Ｓ２の判断が肯定される場合には、Ｓ３において、前記ＲＡＭ３０の選曲履歴データベース９２から過去に前記通信カラオケ装置１２により選曲された演奏曲の選曲履歴が読み出される。
【００３５】
次に、Ｓ４において、Ｓ１にて選択された料理のレシピ情報が前記通信回線１６を介して前記レシピデータベース９０からダウンロードされると共に、そのレシピ情報に定められた待ち時間に応じた演奏時間を有するカラオケ情報であって、Ｓ２にて選択されたジャンル又はアーティスト名と関連付けられたカラオケ情報、或いはＳ３にて読み出された選曲履歴に応じたカラオケ情報が同じく前記通信回線１６を介して前記カラオケデータベース８８からダウンロードされる。次に、前記レシピ出力手段９６の動作に対応するＳ５において、Ｓ４にて取得されたレシピ情報に基づくレシピ映像が前記ビデオボード６４等を介して前記出力装置１８に表示される。
【００３６】
次に、Ｓ６において、前記操作パネル３２やリモコン装置６８等により次の料理ステップへの移行操作が行われたか否かが判断される。このＳ６の判断が否定されるうちは、判断が繰り返されることにより待機させられるが、Ｓ６の判断が肯定される場合には、Ｓ７において、移行させられた料理ステップが演奏曲を出力させるべき待ち時間を含む料理ステップか否かが判断される。このＳ７の判断が否定される場合には、Ｓ１２以下の処理が実行されるが、Ｓ７の判断が肯定される場合には、Ｓ８において、前記操作パネル３２やリモコン装置６８等により待ち時間に演奏されることが予定されている演奏曲を変更する操作が行われたか否かが判断される。このＳ８の判断が否定される場合には、Ｓ１０以下の処理が実行されるが、Ｓ８の判断が肯定される場合には、Ｓ９において、対象となる待ち時間に応じた演奏時間を有する他のカラオケ情報であって、Ｓ２にて選択されたジャンル又はアーティスト名と関連付けられたカラオケ情報、或いはＳ３にて読み出された選曲履歴に応じたカラオケ情報が前記カラオケデータベース８８からダウンロード（再取得）される。
【００３７】
次に、Ｓ１０において、前記操作パネル３２やリモコン装置６８等により演奏開始（待ち時間カウントダウン開始）操作が行われたか否かが判断される。このＳ１０の判断が否定される場合には、Ｓ８以下の処理が再び実行されるが、Ｓ１０の判断が肯定される場合には、前記演奏曲出力手段９８の動作に対応するＳ１１において、Ｓ４又はＳ９にて取得されたカラオケ情報のＭＩＤＩデータに基づいて前記ＭＩＤＩ音源５４により演奏曲が出力されると共に、前記ビデオボード６４等を介して前記出力装置１８に図８に示すような歌詞文字映像を含むカラオケ演奏画面が表示される。次に、Ｓ１２において、レシピ終了であるか否か、すなわちレシピ情報が最後まで出力されたか否かが判断される。このＳ１２の判断が否定される場合には、Ｓ５以下の処理が再び実行されるが、Ｓ１２の判断が肯定される場合には、それをもって本ルーチンが終了させられる。以上の制御において、Ｓ４及びＳ９が前記取得手段９４の動作に対応する。
【００３８】
このように、本実施例によれば、前記サーバ１４は、多数の料理のレシピ情報を記憶するレシピデータベース９０を備えたものであり、通信音楽再生装置である前記通信カラオケ装置１２は、前記通信回線１６を介して前記レシピデータベース９０から所定の料理のレシピ情報を取得する取得手段９４（Ｓ４及びＳ９）と、その取得手段９４により取得されたレシピ情報に基づいて前記料理のレシピを出力させるレシピ出力手段９６（Ｓ５）と、前記取得手段９４により取得されたレシピ情報に定められた待ち時間に応じて所定の演奏曲を出力させる演奏曲出力手段９８（Ｓ１１）とを、有することから、前記サーバ１４から取得される所望のレシピを参照して料理を行うことができるのみならず、その料理における煮込みやオーブンがけ等の待ち時間においてその時間に応じた演奏曲を出力させることができ、待ち時間を楽しく過ごせると共にその超過を好適に防止できる。すなわち、利用性が高く娯楽性に富んだレシピ情報配信システムを包含する通信カラオケシステム１０を提供することができる。
【００３９】
また、前記サーバ１４は、前記演奏曲を出力させるための音曲情報である多数のカラオケ情報を記憶するカラオケデータベース８８を備えたものであり、前記取得手段９４は、前記通信回線１６を介して所定の料理のレシピ情報を前記レシピデータベース９０から取得すると共に、そのレシピ情報に定められた待ち時間に応じた演奏曲のカラオケ情報を前記カラオケデータベース８８から取得するものであるため、実用的な通信カラオケシステム１０を利用して、利用性が高く娯楽性に富んだレシピ情報配信システムを実現することができるという利点がある。
【００４０】
また、前記カラオケデータベース８８に記憶されたカラオケ情報は、それぞれ少なくとも１つのジャンルと関連付けられたものであり、前記取得手段９４は、前記通信回線１６を介して共に取得されるレシピ情報に定められた待ち時間に応じた演奏曲のカラオケ情報を、指定されるジャンルに基づいて前記カラオケデータベース８８から取得するものであるため、前記料理の待ち時間において利用者の嗜好を反映する演奏曲を出力させることができ、その待ち時間を更に楽しく過ごせるという利点がある。
【００４１】
また、前記カラオケデータベース８８に記憶されたカラオケ情報は、それぞれ少なくとも１つのアーティスト名と関連付けられたものであり、前記取得手段９４は、前記通信回線１６を介して共に取得されるレシピ情報に定められた待ち時間に応じた演奏曲のカラオケ情報を、指定されるアーティスト名に基づいて前記カラオケデータベース８８から取得するものであるため、前記料理の待ち時間において利用者の嗜好を反映する演奏曲を出力させることができ、その待ち時間を更に楽しく過ごせるという利点がある。
【００４２】
また、前記取得手段９４は、前記通信回線１６を介して共に取得されるレシピ情報に定められた待ち時間に応じた演奏曲のカラオケ情報を、前記通信カラオケ装置１２により過去に選曲された演奏曲の選曲履歴に基づいて前記カラオケデータベース８８から取得するものであるため、前記料理の待ち時間において利用者の嗜好を反映する演奏曲を出力させることができ、その待ち時間を更に楽しく過ごせるという利点がある。
【００４３】
また、前記通信カラオケ装置１２は、所定の出力装置１８に接続されて用いられ、その出力装置１８を介して前記料理のレシピの出力及び演奏曲の出力を行うものであるため、簡単且つ実用的な通信音楽再生装置を用いて、利用性が高く娯楽性に富んだレシピ情報配信システムを実現することができるという利点がある。
【００４４】
以上、本発明の好適な実施例を図面に基づいて詳細に説明したが、本発明はこれに限定されるものではなく、更に別の態様においても実施される。
【００４５】
例えば、前述の実施例において説明した通信カラオケシステム１０は、前記通信カラオケ装置１２を制御主体として前記通信回線１６を介して所定の料理のレシピ情報を前記レシピデータベース９０からダウンロードすると共に、そのレシピ情報に定められた待ち時間に応じた演奏曲のカラオケ情報を前記カラオケデータベース８８からダウンロードするものであったが、本発明はこれに限定されるものではなく、例えば、前記サーバ１４を制御主体として前記通信回線１６を介して所定の料理のレシピ情報を前記通信カラオケ装置１２へ配信すると共に、そのレシピ情報に定められた待ち時間に応じた演奏曲のカラオケ情報をその通信カラオケ装置１２へ配信するものであってもよく、更には、前記通信カラオケ装置１２により前記サーバ１４に備えられた所定のウェブサイトにアクセス（接続）が行われることにより所謂閲覧の形でレシピ情報が取得されるものであってもよい。また、前記通信カラオケ装置１２により過去に選曲された演奏曲の選曲履歴を記憶する演奏履歴データベース９２は、前記サーバ１４のハードディスク８６に設けられたものであってもよい。
【００４６】
また、前述の実施例において、前記カラオケデータベース８８は前記サーバ１４のハードディスク８６に設けられたものであり、前記取得手段９４は、前記通信回線１６を介して所定の料理のレシピ情報を前記レシピデータベース９０から取得すると共に、そのレシピ情報に定められた待ち時間に応じた演奏曲のカラオケ情報を前記カラオケデータベース８８から取得するものであったが、前記カラオケデータベース８８は前記通信カラオケ装置１２に備えられたものであってもよく、この態様においては前記レシピ情報に定められた待ち時間に応じた演奏曲が、前記通信カラオケ装置１２に備えられたカラオケデータベース８８から検索されて読み出される。
【００４７】
また、前述の実施例において、前記レシピ出力手段９６は、前記操作パネル３２やリモコン装置６８等による入力操作に応じて前記出力装置１８の画面を切り換えるものであったが、例えば前記通信カラオケ装置１２に音声認識装置を設けて利用者の音声に応じて表示を切り換えるようにしたり、或いは前記通信カラオケ装置１２に近接センサを設けて利用者が接近するのを検出して表示を切り換えるようにする等、レシピ画面の切り換えには様々な態様が考えられる。
【００４８】
また、前述の実施例において、前記通信カラオケ装置１２は、前記ＣＤスロット３６、ＣＤ駆動部３８、ＣＤ読取部４０、及びＣＤ再生部４２等を備えて構成され、記憶媒体であるＣＤ２０に記憶された演奏曲のカラオケ演奏を行い得るものであったが、これらの構成は必ずしも設けられなくともよい。また、前記通信カラオケ装置１２は、前記ＭＩＤＩ音源５４によりＭＩＤＩデータに基づく演奏曲の出力を行う音楽再生装置であったが、例えばＭＰ３データやｍｍｆデータ等、他の形式のデータに基づく演奏曲の出力を行う音楽再生装置を用いた通信音楽再生システムにも本発明は好適に適用され得る。
【００４９】
また、前述の実施例では、前記通信回線１６に接続されると共に多数の演奏曲のうちから選択される所定の演奏曲を出力させる通信カラオケ装置１２と、前記通信回線１６を介してその通信カラオケ装置１２との間で情報の通信を行い得るサーバ１４とを、備えた通信カラオケシステム１０に本発明が適用された例を説明したが、例えば、前記通信回線１６に接続されると共に多数の演奏曲のうちから選択される所定の演奏曲を出力させ得る一般的なパーソナルコンピュータと、前記通信回線１６を介してその通信カラオケ装置１２との間で情報の通信を行い得るサーバ１４とを、備えた通信音楽再生システム等にも本発明は好適に適用される。
【００５０】
その他、一々例示はしないが、本発明はその趣旨を逸脱しない範囲内において種々の変更が加えられて実施されるものである。
【図面の簡単な説明】
【００５１】
【図１】本発明の通信音楽再生システムの一実施例である通信カラオケシステムを説明する図である。
【図２】図１の通信カラオケシステムに備えられた通信カラオケ装置の構成を説明する図である。
【図３】図１の通信カラオケシステムに備えられたサーバの構成を説明する図である。
【図４】図２の通信カラオケ装置のＣＰＵに備えられた制御機能の要部を説明する機能ブロック線図である。
【図５】図２の通信カラオケ装置と接続された出力装置に表示される、レシピ表示／カラオケ制御のための料理選択画面を例示する図である。
【図６】図２の通信カラオケ装置と接続された出力装置に表示される、料理「鴨南蛮」を作るためのレシピにおける第３ステップ「３．南蛮酢を作る」に係る情報を示す画面を例示する図である。
【図７】図２の通信カラオケ装置と接続された出力装置に表示される、料理「鴨南蛮」を作るためのレシピにおける第５ステップ「５．鴨肉を揚げる」に係る情報を示す画面を例示する図である。
【図８】図２の通信カラオケ装置と接続された出力装置に表示される、料理のレシピの待ち時間におけるカラオケ演奏画面を例示する図である。
【図９】図２の通信カラオケ装置のＣＰＵによるレシピ表示／カラオケ制御を説明するフローチャートである。
【符号の説明】
【００５２】
１０：通信カラオケシステム（通信音楽再生システム）
１２：通信カラオケ装置（通信音楽再生装置）
１４：サーバ
１６：通信回線
１８：出力装置
８８：カラオケデータベース（音曲データベース）
９０：レシピデータベース
９４：取得手段
９６：レシピ出力手段
９８：演奏曲出力手段
【図１】
2007079266.tif 000003
【図２】
2007079266.tif 000004
【図３】
2007079266.tif 000005
【図４】
2007079266.tif 000006
【図５】
2007079266.tif 000007
【図６】
2007079266.tif 000008
【図７】
2007079266.tif 000009
【図８】
2007079266.tif 000010
【図９】
2007079266.tif 000011